(57)【要約】【課題】ユーザが清掃を意識しなくとも、ＬＥＤヘッドレンズを、ドラム現像ユニット挿抜にて清掃し、装置使用時には不具合を生じないクリーナーを有するドラム現像ユニットを提供する。【解決手段】鋭角（４０〜５０度）に折り曲げた可撓性フィルム（ＰＥＴフィルム）からなるクリーナーベースと、折り曲げ部分に設けた可撓性支持部材（スポンジ）と、クリーナーベースのＬＥＤヘッドレンズに当接する側に、クリーナーベースを囲む部分と、クリーナーベースを囲まない部分とができるように取り付けた可撓性のクリーナー当接部（フェルト）と、を有するヘッドクリーナーを、挿抜するドラム現像ユニットの奥側のＬＥＤヘッドレンズに近接する部分に設ける。【選択図】図６
2015060132.tif 000002
【特許請求の範囲】
【請求項１】
ＬＥＤヘッドレンズに対する当接角度が鋭角になるように折り曲げた可撓性フィルムからなるクリーナーベースと、
前記クリーナーベースの前記当接角度を保つように、前記クリーナーベースの折り曲げた部分に設けた可撓性支持部材と、
前記クリーナーベースの前記ＬＥＤヘッドレンズに当接する側に取り付けた可撓性のクリーナー当接部と、
を有するヘッドクリーナーを、
挿抜するドラム現像ユニットの挿入方向の先頭に位置する部分に設けたことを特徴とするドラム現像ユニット。
【請求項２】
前記クリーナーベースの折り曲げ角度が４０〜５０度であることを特徴とする請求項１記載のドラム現像ユニット。
【請求項３】
前記クリーナーベースがＰＥＴフィルムからなることを特徴とする請求項１または２記載のドラム現像ユニット。
【請求項４】
前記可撓性支持部材がスポンジからなることを特徴とする請求項１乃至３のいずれか記載のドラム現像ユニット。
【請求項５】
前記クリーナー当接部がフェルトからなることを特徴とする請求項１乃至４のいずれか記載のドラム現像ユニット。
【請求項６】
前記クリーナー当接部は、前記クリーナーベースを囲む部分と、前記クリーナーベースを囲まない部分とができるように取り付けられていることを特徴とする請求項１乃至５のいずれか記載のドラム現像ユニット。
【請求項７】
請求項１乃至６のいずれか１項に記載のドラム現像ユニットを用いる画像形成装置。
【発明の詳細な説明】
【技術分野】
【０００１】
本発明は、挿抜するドラム現像ユニットにＬＥＤヘッドクリーナーを設けて、当該ドラム現像ユニットの挿抜の際にＬＥＤヘッドを清掃するドラム現像ユニットおよびそれを設けた画像形成装置に関する。
【背景技術】
【０００２】
電子写真方式の画像形成装置、例えば、カラープリンター、カラーコピー、ファクシミリ複合機などにおいては、長期間の使用によりトナーやほこり等の機内飛散が発生する。特に、ＬＥＤヘッドのレンズ上にこれら飛散トナーやほこりの異物が堆積すると、その部分のみドラム現像ユニットに対する露光が遮光されてしまい、結果、印字画像に白筋が発生してしまう画像障害が起きる。このような画像障害を防止するためにＬＥＤヘッドのクリーナーが存在する。
【０００３】
特許文献１では、感光ユニットの引出方向後端部に清掃部材が設けられており、感光ユニットを本体に挿入する際、又は本体から引き出す際に帯電器の放電部材に摺接して清掃するようになっている。この清掃部材はブラシであり、斜めの向きにブラケットに取り付けられている。ここで、ブラケットは感光体ドラムを支持する部材である（段落０００８の末文）。したがって、ブラケットは堅い部材であると考えられる。清掃部材もまた堅い部材に取り付けられていることになる。
【０００４】
特許文献２では、帯電ユニットの本体に対する出し入れ動作に伴って清掃部材が光束出射面を摺擦して、トナーを払拭する。この清掃部材は、帯電ユニットの出し入れ動作に伴って同様に出し入れされる。清掃部材は、図３から１４の多くの図面に描かれているが、帯電ユニットの出し入れ方向に対して、垂直に直立して設けられている。
【０００５】
特許文献３では、カートリッジの挿入動作、抜き取り動作に伴って清掃部材がカートリッジと係合してカバーガラスを清掃する。この清掃部材は、清掃面がカバーガラスに面対面の当接をなす。
【０００６】
特許文献４では、可撓性を有する清掃シートが当接角度（清掃時に進行する方向の角度）を鈍角とりわけ１３５度としている。
【先行技術文献】
【特許文献】
【０００７】
【特許文献１】特開平６−１４９０２２号公報
【特許文献２】特開２００７−２４０７８９号公報
【特許文献３】特開２００９−２４４５４１号公報
【特許文献４】特開２００９−２４４５４３号公報
【発明の概要】
【発明が解決しようとする課題】
【０００８】
特許文献１に記載の技術では、ブラシが斜めに取り付けられているが、取り付けている箇所は堅い部材であり、それにより支持されている。
【０００９】
特許文献２に記載の技術では、清掃部材が光束出射面に対して直立して設けられている。
【００１０】
特許文献３に記載の技術では、清掃面が面対面の当接をなす。
【００１１】
特許文献４に記載の技術では、当接角度１３５度の可撓性を有する清掃シートであるが、その取り付けについては、特に限定はなく、堅い部材に取り付けられているものと考えられる。
【００１２】
ここで、さらに一般的な電子写真カラープリンターの例について、図面を参照しつつ詳しく示す。図８（ａ）は、従来のヘッドクリーナーを示す斜視図である。図８（ｂ）は、従来のヘッドクリーナーを横から見た図である。従来のヘッドクリーナーは、図８（ａ）（ｂ）に示すように、およそ長方形のＰＥＴ（ポリエチレンテレフタレート）フィルムをほぼ直角（９０度）に折り曲げてなるクリーナーベース９７ａに長方形のフェルトからなるクリーナー当接部９７ｂをそのほぼ中央で１８０度曲げて取り付けてなるものである。
【００１３】
図９に従来のヘッドクリーナーの貼り付け位置を示す。図９は、ドラム現像ユニット２の奥側（本体に挿入する際に突っ込む側）を上下をひっくり返し、底の部分が見えるように描いた斜視図である。ドラム現像ユニット２を正面から見た際に右側となる短部の本体の奥側に相当するドラムカバー５にヘッドクリーナー９７を両面テープにて貼り付けている。ここで、ドラムカバー５は、感光体ドラムを覆う部材である。ＬＥＤヘッドは、感光体ドラム上に像を結ぶように構成される。そして、ＬＥＤヘッドレンズの焦点距離は、短い距離に設定されるので、ＬＥＤヘッドレンズは、感光体ドラムに近接して設けられる。したがって、ヘッドクリーナー９７をこの位置に取り付けることで、ＬＥＤヘッドレンズを清掃可能となる。
【００１４】
図１０にドラム現像ユニット２に設置したヘッドクリーニング機構の概略断面図を示す。図１０（ａ）は、ドラム現像ユニット２を電子写真カラープリンター（画像形成装置）１の本体に挿入直前の状態を示す。ドラム現像ユニット２は、図１０で左から右へ挿入される。ドラム現像ユニット２のドラムカバー５に、ヘッドクリーナー９７が備えられている。ＬＥＤヘッド３は、ドラム現像ユニット２が挿入される際には、ドラム現像ユニットよりも１０ｍｍほど下方向に下降している。ドラム現像ユニット２を挿入する際に誤ってぶつかったりして傷ついたり、汚れたりすることを防止すべく離間するものである。
【００１５】
図１０（ｂ）は、ドラム現像ユニット２の挿入途中（レンズクリーニング中）を示す。ドラム現像ユニット２に取り付けられているヘッドクリーナー９７がＬＥＤヘッド３のＬＥＤヘッドレンズ６上を清掃している状態である。ヘッドクリーナー９７ＰＥＴフィルムでできているので、撓むことができる。したがって、静止状態の９０度から、鋭角状態へ変形しながら清掃を行う。この角度は、ドラム現像ユニット２が挿入される方向と、ヘッドクリーナー９７のクリーナー当接部が取り付けられたクリーナーベースとがなす角度である。
【００１６】
図１０（ｃ）は、ドラム現像ユニット２の挿入が終了した状態を示す。間もなくＬＥＤヘッド３が上昇しようとしている状態である。図１０（ａ）では、ドラム現像ユニット２とＬＥＤヘッド３とは離間していた。しかし、電子写真カラープリンター１の使用時にあっては、ＬＥＤヘッドからの光がドラム現像ユニット２の感光体ドラムに当たって結像する必要がある。ＬＥＤヘッドレンズ６の焦点距離は、一般に短く設計されているので、ＬＥＤヘッドをドラム現像ユニット２の感光体ドラムに近接させる必要がある。そのために、ドラム現像ユニット２の挿入が完了したタイミングで、ＬＥＤヘッド３は、上昇し、ドラム現像ユニット２に近づくようになっている。
【００１７】
ここで、ヘッドクリーナー９７が、９０度の状態に形状が戻っているため、ＬＥＤヘッド３の上昇時に衝突が発生する可能性がある。衝突が起こると、ＬＥＤヘッド３は、本来の位置まで上昇しきれず、結果画像ピント不良が発生することがあった。
【００１８】
本発明は、上記従来の課題を解決するものであって、ユーザが清掃を意識しなくとも、ＬＥＤヘッドレンズを、ドラム現像ユニット挿抜にて清掃し、装置使用時には不具合を生じないドラム現像ユニット、およびそれを用いる画像形成装置を提供することを目的とする。
【課題を解決するための手段】
【００１９】
上記課題を解決するために、本発明のドラム現像ユニットは、ＬＥＤヘッドレンズに対する当接角度が鋭角になるように折り曲げた可撓性フィルムからなるクリーナーベースと、前記クリーナーベースの前記当接角度を保つように、前記クリーナーベースの折り曲げた部分に設けた可撓性支持部材と、前記クリーナーベースの前記ＬＥＤヘッドレンズに当接する側に取り付けた可撓性のクリーナー当接部と、を有するヘッドクリーナーを、挿抜するドラム現像ユニットの挿入方向の先頭に位置する部分に設けたことを特徴とする。
【発明の効果】
【００２０】
本発明は、上述のように鋭角に折り曲げた可撓性のクリーナーベースと、可撓性支持部材と、可撓性のクリーナー当接部とを有するヘッドクリーナーをドラム現像ユニットの奥側のＬＥＤヘッドレンズに近接する部分に設けたので、ユーザが清掃を意識しなくとも、ＬＥＤヘッドレンズを、ドラム現像ユニット挿抜にて清掃するドラム現像ユニット、およびそれを用いる画像形成装置を提供することができる。
【図面の簡単な説明】
【００２１】
【図１】電子写真カラープリンター（画像形成装置）本体の外観斜視図である。
【図２】電子写真カラープリンター本体の前扉を開けた状態を示す斜視図である。
【図３】ドラム現像ユニットが電子写真カラープリンター本体との係合を解除された状態を示す斜視図である。
【図４】（ａ）は、本発明に係るヘッドクリーナーの斜視図である。（ｂ）、（ｃ）、（ｄ）は、本発明に係るヘッドクリーナーを横から見た図である。（ｃ）は、可撓性支持部材の断面形状が四角形、（ｄ）は、可撓性支持部材の断面形状が台形の変形例を示す。（実施形態）。
【図５】ヘッドクリーナーの取り付け位置、取り付け状態を説明する斜視図である（実施形態）。
【図６】ドラム現像ユニットを挿入する際にヘッドクリーナーがＬＥＤヘッドレンズに当接して清掃する状態を示す図である。（ａ）は、挿入直前の状態を示し、（ｂ）は、挿入の最中（清掃中）の状態を示し、（ｃ）は、挿入完了、ヘッド上昇前の状態を示し、（ｄ）は、挿入完了してヘッド上昇した際の状態を示す（実施形態）。
【図７】（ａ）は、挿入時のクリーナー当接部の変形を示す図である。（ｂ）は、抜取時のクリーナー当接部の変形を示す図である（実施形態）。
【図８】（ａ）は、従来のヘッドクリーナーの斜視図である。（ｂ）は、従来のヘッドクリーナーを横から見た図である（従来）。
【図９】ヘッドクリーナーの取り付け位置、取り付け状態を説明する斜視図である（従来）。
【図１０】ドラム現像ユニットを挿入する際にヘッドクリーナーがＬＥＤヘッドレンズに当接して清掃する状態を示す図である。（ａ）は、挿入直前の状態を示し、（ｂ）は、挿入の最中（清掃中）の状態を示し、（ｃ）は、挿入完了時の状態を示す（従来）。
【発明を実施するための形態】
【００２２】
《概念及び用語の説明》
以下、本発明において用いる概念および用語の定義、説明を行う。
ＬＥＤヘッドは、感光体ドラム上に像を結像すべく、光照射を行う出射口となる部材である。
ＬＥＤヘッドレンズは、ＬＥＤヘッドから出射した光を感光体ドラム上に結像するレンズである。
ヘッドクリーナーは、ここでは、ＬＥＤヘッドレンズを清掃する部材をいう。
ドラム現像ユニットは、ＬＥＤヘッド（レンズ）を清掃するためのヘッドクリーナーを設けた交換部品をいう。
可撓性とは、撓むことのできる性質である。
当接角度とは、ヘッドクリーナーが進行して清掃していく向きと、ヘッドクリーナー（クリーナー当接部が取り付けられたクリーナーベースの部分）とのなす角度をいう。
【００２３】
《本発明が従来と異なる点について》
背景技術の項において、従来の一般的な電子写真カラープリンター（画像形成装置）について、図８、図９、図１０を参照しつつ、述べた。本発明が、従来の一般的な電子写真カラープリンターと異なるのは、ヘッドクリーナーの形状、折り曲げ角度、支持部材を新たに設けることのみであって、他の部分は、従来と同じである。
すなわち、本発明のヘッドクリーナーは、クリーナーベースと、可撓性支持部材と、クリーナー当接部とからなる。クリーナーベースは、ＬＥＤヘッドレンズに対する当接角度が鋭角になるように、鋭角に折り曲げた可撓性フィルムからなる部材である。可撓性支持部材は、前記クリーナーベースの前記当接角度を保つように、前記折り曲げ部分に設けた部材である。クリーナー当接部は、前記クリーナーベースの前記ＬＥＤヘッドレンズに当接する側に、前記クリーナーベースを囲む部分と、前記クリーナーベースを囲まない部分とができるように取り付けた可撓性の部材である。
そして、このヘッドクリーナーを、挿抜するドラム現像ユニットの奥側のＬＥＤヘッドレンズに近接する部分に設けた。
従来と異なる点は、二点ある。第一に、クリーナーベースを鋭角に折り曲げて用いる点である。第二に、当該折り曲げ部分の角度を保つように可撓性支持部材を設けた点である。
【００２４】
以下、本発明の実施形態について、図面を参照しつつ詳細に説明する。
図１は、本発明に係る電子写真カラープリンター（画像形成装置）１の斜視図である。電子写真カラープリンター１は、電子写真方式にて感光体ドラム上に得たカラー３色と黒色のトナー像を転写ベルト上に転写し、給紙カセット２５に収容された印刷用紙に２次転写し、定着装置で熱と圧力を加えて定着させたプリント後の印刷用紙を排紙トレー３７に排出するように構成されている。前扉４２を開けると、トナーユニット、ドラム現像ユニット、定着ユニットなどの、部品がユーザにも交換可能な部品として備えられており、簡単な操作で古くなった部品を抜き取り、新しい部品を挿入することができるように構成されている。
【００２５】
図２は、電子写真カラープリンター１の本体の前扉４２を開けた状態を示す。ドラム現像ユニット２が４本（カラー３色と黒色）装着され、４つのＬＥＤヘッド３がドラム現像ユニット２に設けられた感光体ドラム２ａに対して上昇して近接し、露光できる状態となっている。４つの抓み５２が水平になっていることが、そのことを示している。
上述したように、ドラム現像ユニットには、ヘッドクリーナー単独のユニットも考えられるし、ヘッドクリーナーと感光体ドラムの廃トナー排出とをセットにしたクリーナーユニット、も考えられる。また、感光体ドラムを含むユニットも考えられる。ここでは、感光体ドラムを含むドラム現像ユニットにヘッドクリーナーを設けた例について述べる。
【００２６】
図３は、ドラム現像ユニット２が電子写真カラープリンター１の本体と係合を解除された状態を示す斜視図である。
ユニット筐体１６は、電子写真カラープリンター１の本体と係合をする際に、当接する部分である。ここでは、ドラム現像ユニット２には、帯電ローラ３、感光体ドラム２ａなどが設けられている例を示している。ユニット前面カバー５４には、抓み５２が回動可能に設けられている。抓み５２の一端には、合わせ位置表示マーク５３が設けられており、ユニット前面カバー５４の上側に設けられたアンロック位置表示マーク５６に合う位置に抓み５２が向いている。この状態では、本体側に設けられているＬＥＤヘッド３は、感光体ドラム２ａと離間する位置にある。
【００２７】
図３に示すようにドラム現像ユニット２が電子写真カラープリンター１の本体と係合を解除された状態では、合わせ位置表示マーク５３は、アンロック位置表示マーク５６と合う位置にあるが、図２に示すように本体と係合された状態では、合わせ位置表示マーク５３はロック位置表示マーク５５と合う位置にある。その状態では、ＬＥＤヘッド３が上昇し、感光ドラム２ａと近接して、露光可能な状態となる。ユニット前面カバー５４の裏側には、ＬＥＤヘッド３の上昇、下降を可能とする機構が設けられている。
【００２８】
図４に本発明に係るヘッドクリーナー７の形状および構造を示す。ヘッドクリーナー７は、クリーナーベース７ａ、クリーナー当接部７ｂ、可撓性支持部材７ｃからなる。クリーナーベース７ａは、可撓性の長方形の板状部材からなり、例えば、ＰＥＴ（ポリエチレンテレフタレート）フィルムにより構成できる。ＰＥＴフィルムは、例えば、東レ株式会社が提供するルミラー（東レの商標）を用いることができる。このＰＥＴフィルムを長方形として、そのおよそ真ん中で折り曲げて、ドラム現像ユニット取付部７ａ１、折曲部７ａ２とする。その折り曲げ角度、すなわちドラム現像ユニット取付部７ａ１と折曲部７ａ２とがなす角度を鋭角、好ましくは４０度から５０度とする。すると、後述する向きにドラム現像ユニットに取り付けたときに、ＬＥＤヘッド（レンズ）への当接角度が鋭角（４０度から５０度）になる。ここで、当接角度は、ドラム現像ユニット２を挿入する方向（クリーナーが進行する方向）と折曲部７ａ２とがなす角度である。ドラム現像ユニットの挿入方向とドラム現像ユニット取付部７ａ１とが平行であることを前提にすれば、クリーナーベース７の折り曲げ角度と、ドラム現像ユニットを挿入する際のヘッドクリーナー７の当接角度とは、一致する。
【００２９】
図４に示すように、ヘッドクリーナー７のクリーナーベース７ａの折曲部７ａ２の先には、クリーナー当接部７ｂを設ける。クリーナー当接部７ｂは、可撓性の柔らかい部材、例えばフェルトからなる長方形の部材をそのほぼ真ん中で１８０度折り曲げて、クリーナーベースの折曲部７ａ２の先を挟むように取り付ける。取付方法は、例えば接着剤を用いて接着する。このとき、クリーナー当接部７ｂが折曲部７ａ２を挟み込む部分であるベースあり部分７ｂ１と、挟み込まない部分であるベースなし部分７ｂ２とが構成される。ベースなし部分７ｂ２はクリーナーベースを挟み込まないことにより、フレキシブルに柔らかく変形するようにした。先行技術の問題点で挙げたＬＥＤヘッド（レンズ）との衝突を避けるためである。
【００３０】
可撓性支持部材７ｃは、例えばスポンジにより構成され、図４（ｂ）に示すように５角柱を横に寝せた形状、図４（ｃ）に示す４角柱を横に寝せた形状、図４（ｄ）に示す断面が台形の４角柱の横に寝せた形状とすることができる。この可撓性支持部材７ｃをクリーナーベース７ａの折曲部７ａ２とドラム現像ユニット取付部７ａ１との間に接触させて貼り付けることで折り曲げ角度を安定的に保持することができる。クリーナーベース７ａのみで鋭角形状の折り曲げ部分を構成した場合には、材料のコシで復元して元の直角形状、あるいは鈍角形状まで戻る可能性があり形状的に不安定である。
【００３１】
このように、クリーナーベースを鋭角に折り曲げること、可撓性支持部材によりその折り曲げ角度を保持すること、クリーナー当接部の先にはベースなし部分を設けることにより、清掃効果を高めると共に先行技術の問題点にて挙げたＬＥＤヘッドとの衝突を避ける構造とした。
【００３２】
図５にヘッドクリーナー７のドラム現像ユニット２への貼り付け位置を示す。貼り付け位置に関しては、先行技術で述べた従来のものと変更はない。感光体ドラム２ａを覆うドラムカバー５の底部にヘッドクリーナー７を貼り付ける。図５は、図９と同様にドラム現像ユニット２の奥側（本体に挿入する際に先頭になる部分）を裏返して見た図である。したがって、この状態では、ヘッドクリーナー７は、上に向いているが、本体に挿入する際には、ヘッドクリーナー７は、下を向き、感光体ドラム２ａの真下に位置するＬＥＤヘッド（レンズ）を清掃する。
【００３３】
図６にヘッドクリーナー７の清掃の仕組みを示す。上述したように、先行技術との違いは、ヘッドクリーナーの部分のみであって、基本構造は、従来と同一である。
ヘッドクリーナー７のクリーナーベースが鋭角に折り曲げられていることにより、図６（ａ）の挿入時は、より入れやすくなる。
図６（ｂ）は、挿入中、すなわちヘッドクリーナー７がＬＥＤヘッド（レンズ）を清掃している状態を示している。図６（ｂ）の左から右へ向けてクリーナー７が進み、ＬＥＤヘッドレンズ６との当接角度は、鋭角（好ましくは４０度から５０度）となっている。
【００３４】
図６（ｃ）は、挿入完了時であり、ＬＥＤヘッド３が上昇（感光体ドラムに近接）する直前の状態を示している。括弧書きで（抜脱前）と書いているのは、使用後に抜く際にも、この状態になることを示している。図６（ｃ）のドラム現像ユニット２の挿入が完了し、ＬＥＤヘッド３が間もなく上がる状態の時はヘッドクリーナー７は鋭角の状態となっているので、ＬＥＤヘッド３の上昇時には衝突なく、可撓性支持部材７ｃがつぶれて、折り曲げ角度が０度に近づく方向へ変形する。
また、抜脱の際、つまりドラム現像ユニット２が引き抜かれる時は、図６（ｃ）に示すようにＬＥＤヘッドレンズ６とヘッドクリーナー７とは、ベースなし部分７ｂ２（フェルトのみの箇所）でオーバーラップさせているので、ヘッドクリーナー７のフェルトのみを変形させて、ドラム現像ユニット２を引き抜くことが可能となる。このとき、ベースなし部分７ｂ２は、上述したようにフェルトという柔らかい部材で構成されており、フレキシブルに変形するので、ＬＥＤヘッドレンズ６を傷つける心配がない。
【００３５】
図６（ｄ）はＬＥＤヘッド３が上昇し、ドラム現像ユニット２の感光体ドラム２ａに対し露光可能な定位置となった状態を示す。この時、ヘッドクリーナー７は、ＬＥＤヘッド３により約０度曲げ状態に近くなり、衝突なく折りたたまれる。ここで、ＬＥＤヘッド３を上昇させる力は、ヘッドクリーナー７の可撓性支持部材７ｃが有する復元力に比べて十分に大きいので、ＬＥＤヘッド３の位置には全く影響を及ぼさない。
【００３６】
図７（ａ）は、挿入時のヘッドクリーナー７のクリーナー当接部７ｂのうちのベースなし部分７ｂ２が変形して、ＬＥＤヘッドレンズ６に当接する状態を示す。また、図７（ｂ）は、抜脱時のヘッドクリーナー７のクリーナー当接部７ｂのうちのベースなし部分７ｂ２が変形して、ＬＥＤヘッドレンズ６に当接する状態を示す。図７（ａ）（ｂ）を比較してわかるように、ベースなし部分７ｂ２の挿入時に当接する側と、抜脱時に当接する側とは異なる側となる。したがって、挿入時、抜脱時にそれぞれ汚れていない面での清掃がなされるので有効な清掃が可能となる。
【００３７】
以上、述べたように、本発明は、電子写真プリンターにおけるＬＥＤ清掃において、ユーザーが清掃を自覚して行わなくともドラム現像ユニット挿抜にて自動的にＬＥＤレンズを清掃できる機能を提供できる。また、本発明のクリーナーを使用することにより、ＬＥＤヘッドに対し、ピント不良、挿抜不良、脱落など不具合のない機構を提供できる。
【００３８】
本発明のいくつかの実施形態を説明したが、本発明は特許請求の範囲に記載された発明とその均等の範囲に含まれる。以下に、本願出願の当初の特許請求の範囲に記載された発明を付記する。
［付記１］
【００３９】
ＬＥＤヘッドレンズに対する当接角度が鋭角になるように折り曲げた可撓性フィルムからなるクリーナーベースと、
前記クリーナーベースの前記当接角度を保つように、前記クリーナーベースの折り曲げた部分に設けた可撓性支持部材と、
前記クリーナーベースの前記ＬＥＤヘッドレンズに当接する側に取り付けた可撓性のクリーナー当接部と、
を有するヘッドクリーナーを、
挿抜するドラム現像ユニットの挿入方向の先頭に位置する部分に設けたことを特徴とするドラム現像ユニット。
［付記２］
【００４０】
前記クリーナーベースの折り曲げ角度が４０〜５０度であることを特徴とする付記１記載のドラム現像ユニット。
［付記３］
【００４１】
前記クリーナーベースがＰＥＴフィルムからなることを特徴とする付記１または２記載のドラム現像ユニット。
［付記４］
【００４２】
前記可撓性支持部材がスポンジからなることを特徴とする付記１乃至３のいずれか記載のドラム現像ユニット。
［付記５］
【００４３】
前記クリーナー当接部がフェルトからなることを特徴とする付記１乃至４のいずれか記載のドラム現像ユニット。
［付記６］
【００４４】
前記クリーナー当接部は、前記クリーナーベースを囲む部分と、前記クリーナーベースを囲まない部分とができるように取り付けられていることを特徴とする付記１乃至５のいずれか記載のドラム現像ユニット。
［付記７］
【００４５】
付記１乃至６のいずれか１項に記載のドラム現像ユニットを用いる画像形成装置。
【産業上の利用可能性】
【００４６】
電子写真方式プリンター（画像形成装置）のドラム現像ユニット、とりわけＬＥＤヘッドに近接するドラム現像ユニット、例えば感光体ドラムを含むドラム現像ユニットに適用できる。
【符号の説明】
【００４７】
１  電子写真カラープリンター（画像形成装置）
２  ドラム現像ユニット
２ａ  感光体ドラム
３  ＬＥＤヘッド
５  ドラムカバー
６  ＬＥＤヘッドレンズ
７  ヘッドクリーナー
７ａ  クリーナーベース
７ａ１  ドラム現像ユニット取付部
７ａ２  折曲部
７ｂ  クリーナー当接部
７ｂ１  ベースあり部分
７ｂ２  ベースなし部分
７ｃ  可撓性支持部材
１２  帯電ローラ
１４  現像器
１６  ユニット筐体
２５  給紙カセット
３７  排紙トレー
４２  前扉
５２  抓み
５３  合わせ位置表示マーク
５４  ユニット前面カバー
５５  ロック位置表示マーク
５６  アンロック位置表示マーク
９７  ヘッドクリーナー（従来）
９７ａ  クリーナーベース（従来）
９７ｂ  クリーナー当接部（従来）
【図１】
2015060132.tif 000003
【図２】
2015060132.tif 000004
【図３】
2015060132.tif 000005
【図４】
2015060132.tif 000006
【図５】
2015060132.tif 000007
【図６】
2015060132.tif 000008
【図７】
2015060132.tif 000009
【図８】
2015060132.tif 000010
【図９】
2015060132.tif 000011
【図１０】
2015060132.tif 000012